(57)【要約】【課題】本発明は、通気機能、結露防止機能、断熱機能、防水機能、等を向上した壁構造に係るものである。【解決手段】下地αと外壁材Ａ間に土台部Ｄから小屋裏Ｋに連通した通気層γを形成した壁構造において、垂直平面状の固定片１２と、固定片１２の一端を屋外側へ突出した突出片１３と、突出片１３に一定間隔で形成した通気孔１４とから形成した長尺状の通気兼固定部材１１ａと、揺動可能に形成し通気兼固定部材１１ａの通気孔１４を閉塞出来るように形成した強風浸入防風弁１１ｂとから形成した強風浸入防止材１１を通気層γの屋外Ｇ側下端の下地α上に形成した壁構造である。【選択図】図５
2010255379.tif 000002
【特許請求の範囲】
【請求項１】
下地と外壁材間に土台部から小屋裏に連通した通気層を形成した壁構造において、垂直平面状の固定片と、該固定片の一端を屋外側へ突出した突出片と、該突出片に一定間隔で形成した通気孔とから形成した長尺状の通気兼固定部材と、揺動可能に形成し通気兼固定部材の通気孔を閉塞出来るように形成した強風浸入防風弁とから形成した強風浸入防止材を通気層の屋外側下端の下地上に形成したことを特徴とする壁構造。
【発明の詳細な説明】
【技術分野】
【０００１】
本発明は、放湿機能、結露防止機能、断熱機能、防水機能、等を向上した壁構造に係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱が吸収した水分を外気に排出するために、外壁材と躯体間に厚さ２０ｍｍ程度の空気層（通気層）を設ける工法、所謂通気工法が開発された。本来、通気工法とは、壁内結露防止のための工法である。（例えば、特許文献１〜６参照）。
【先行技術文献】
【特許文献】
【０００３】
【特許文献１】特開平０９−１１９１７５号公報
【特許文献２】特開平０９−１４４１５２号公報
【特許文献３】特開平１１−２４１４２７号公報
【特許文献４】特開平１１−２９３８０１号公報
【特許文献５】特開２０００−２９１１６９号公報
【特許文献６】特開２００３−３２８４６０号公報
【発明の概要】
【発明が解決しようとする課題】
【０００４】
しかしながら、特許文献１〜６は湿気を排出するが、外気が外壁材の裏面を通過するために、外壁材に断熱性のある部材を形成しても断熱材としての効果を発揮出来ず断熱材として機能しないものであるとされていた。勿論、住宅の外壁の断熱性を計算する上でも断熱性が無いものとされていた。また、通気層内を動く空気の量は、外の風によって大きく変化するものであり、特に風が強い場合には通気量が多くなり、断熱性のある外壁材を使用しても、効率の良い断熱性を発揮出来ない欠点があった。このため、風が強い場合でも通気層内の通気量を抑制することが大きな課題であった。
【課題を解決するための手段】
【０００５】
本発明はこのような欠点を解決するために、下地と外壁材間に土台部から小屋裏に連通した通気層を形成した壁構造において、垂直平面状の固定片と、固定片の一端を屋外側へ突出した突出片と、突出片に一定間隔で形成した通気孔とから形成した長尺状の通気兼固定部材と、揺動可能に形成し通気兼固定部材の通気孔を閉塞出来るように形成した強風浸入防風弁とから形成した強風浸入防止材を通気層の屋外側下端の下地上に形成した壁構造を提供するものである。
【発明の効果】
【０００６】
本発明に係る壁構造によれば、強風が直接通気路内に侵入することが無いために（１）通気層（空気層）の外側に位置する外壁材が断熱材として機能する。（２）外壁材の断熱性により、通気層、外壁材の裏面および壁内の温度が高く保持され、より内部結露の発生が抑えられる。（３）強風浸入防止材と水切りから形成した通気水切りにより、風が強い場合でも通気層内に強風が吹き込むことが無く、通気層内の通気量を一定に保つことが出来る。等の特徴、効果がある。
【図面の簡単な説明】
【０００７】
【図１】本発明に係る壁構造の代表的一例を示す説明図である。
【図２】本発明に係る壁構造の代表的一例を示す説明図である。
【図３】本発明に係る壁構造の代表的一例を示す説明図である。
【図４】本発明に係る壁構造の代表的一例を示す説明図である。
【図５】本発明に係る壁構造の代表的一例を示す説明図である。
【図６】本発明に係る壁構造の代表的一例を示す説明図である。
【図７】本発明に係る壁構造に使用する通気水切りの一例を示す説明図である。
【図８】本発明に係る壁構造に使用する外壁材の代表的一例を示す説明図である。
【図９】本発明に係る壁構造に使用する防風板と水切りのその他の実施例を示す説明図である。
【図１０】本発明に係る壁構造のその他の実施例を示す説明図である。
【図１１】本発明に係る壁構造のその他の実施例を示す説明図である。
【図１２】本発明に係る壁構造のその他の実施例を示す説明図である。
【発明を実施するための形態】
【実施例】
【０００８】
以下に図面を用いて本発明に係る壁構造について詳細に説明する。図１〜図６は本発明に係る壁構造を示す断面図、図７（ａ）〜（ｃ）は本発明に係る壁構造に使用する防風板１１と水切り１７を示す説明図、図７（ａ）〜（ｄ）は外壁材Ａを示す説明図である。図中、αは下地、βは釘等の固定具、γは通気層を示している。
【０００９】
下地αは、内装材１、ポリエチレンシート等の防湿層２、主柱、間柱等の躯体３、躯体３間に形成したグラスウール等の断熱材４より形成したものである。
【００１０】
５は防風透湿層（二点鎖線で示す）であり、透湿防水シート（風・雨を通さず湿気だけを通す不織布）、あるいは透湿防水板（透湿性の高いシージングボード、シージングインシュレーションボード、等）よりなり、透湿性、防風性、防水性、等を有する部材より形成したものである。
【００１１】
６は通気層形成部材であり、通気層γが上下開口部と連通するように形成したものであり、例えば一定間隔で縦に形成した縦胴縁である。また、通気層γが後記する開口部（上開口７、下開口８、小屋裏通気開口９）と連通するように形成されれば一定間隔で横に形成した横胴縁でも良いものである。勿論、通気層形成部材６の替わりに、通気層γ（溝）を形成した板材を部分的あるいは全面に形成してもかまわない。通気層形成部材６の材質は、木材、金属材、プラスチック材、等である。
【００１２】
７は上開口、８は下開口、９は小屋裏通気開口であり、通気層形成部材６により形成された通気層γと連通し、屋内Ｎから通気層γに放出された室内Ｎから出た湿気を屋外Ｇに排出するための出口である。勿論、上開口７、下開口８、小屋裏通気開口９は湿気を排出するために取り入れる空気の流入口としても機能するものである。
【００１３】
上開口７は、外壁材Ａの桁部分と軒天２１間に、通気層γと連通するように形成したものであり、図では止縁１０と軒天２３間に通気層γと連通した上開口７を形成したものである。
【００１４】
下開口８は外壁材Ａと土台部Ｄ間に形成するものであり、後記する防風板１１と水切り１７よりなる通気水切りＤ１により、通気層γと連通した下開口８を形成したものである。
【００１５】
小屋裏通気開口９は、屋内Ｎに発生した湿気を通気層γを介して小屋裏Ｋから屋外Ｇへ排出するために形成したものである。
【００１６】
１０は止縁、Ｄ１は防風板１１と水切り１７よりなる通気水切りＤ１であり、外壁材Ａの上端部を止縁１０により、下端部を防風板１１と水切り１７によりなる通気水切りＤ１で納める共に、上開口７と下開口８形成する部材でもある。止縁１０の素材としては金属材、あるいはプラスチック材、等よりなるものである。また２３は軒天である。
【００１７】
強風浸入防止材１１は図７（ａ）、（ｂ）に示すように、通気兼固定部材１１ａと、強風浸入防止材１１ａに一体に形成した強風浸入防止弁１１ｂとから形成したものである。
【００１８】
通気兼固定部材１１ａは図７（ａ）、（ｂ）に示すように、垂直平面状の固定片１２と、固定片１２の上端を屋外Ｇ側へ突出した突出片１３と、突出片１３に一定間隔で形成した通気孔１４とから形成した長尺状板材である。その施工は、通気層形成部材６の下端と土台部Ｄ間の隙間に形成し、通気層γと屋外Ｇ間を通気させる下開口８を形成するものである。その素材としては金属材、あるいはプラスチック材、等よりなるものである。
【００１９】
強風浸入防止弁１１ｂは図７（ａ）、（ｂ）に示すように、通気兼固定部材１１ａの突出片１３の先端部分と接着材等により一体化される固定面１５と、接着された固定面１５との境部分の支点１６ａ部分よりその自重により撓むように形成（揺動可能に形成）された防風弁１６と、防風弁１６に形成した切り込み１６ｂとからなるシート状物である。その素材としては、紙製シート状物等の可撓性のあるシート状物、あるいはプラスチック製フィルムからなる可撓性のあるシート状物、等よりなるものである。勿論、支点１６ａ部分に切り込みを入れる等して、支点１６ａ部分より自重により折れ曲がるように形成しても良いものである。
【００２０】
水切り１７は、図７（ｃ）に示すように、垂直平面状の固定面１８と、固定面１８の下端を屋外Ｇ側で下方へ傾斜して突出した水切り面１９と、水切り面１９の先端を下方に垂下した化粧面２０と、化粧面２０の下端を屋内Ｎ側に突出した下面２１と、下面２１の先端を上方に突出した内面２２とから形成した長尺状板材である。その施工は、通気層形成部材６の下端上に形成し、通気層γと屋外Ｇ間を通気させる下開口８を塞がないように形成するものである。その素材としては金属材、あるいはプラスチック材、等よりなるものである。
【００２１】
強風浸入防止材１１と水切り１７は後記する断熱性を有する外壁材Ａの下端部を納めるための役物であり、下端部の収まりの美観性向上、施工性の向上、通気層γへの空気の流入口の形成、通気層γへの急激な空気流入の防止機能、等を図るために形成したものである。
【００２２】
固定片１２は、強風浸入防止材１１を下地α上に固定するための部分であり、突出片１３は強風浸入防止弁１１ｂを固定するための部分であると共に、通気孔１４の形成部として機能するものである。
【００２３】
強風浸入防止材１１は強風が排気層γ内に浸入するのを防止するダンパーであり、図５に示すように屋外Ｇが無風あるいは微風の場合には、防風弁１６が通気孔１４を閉塞ることが無く、自然対流程度の通気量が確保されるものである。また、図６に示すように屋外Ｇに点線矢印のように強風が吹いている状態の時には、防風弁１６が通気孔１４を閉塞し、強風が通気層γ内に浸入するのを防止するものである。
【００２４】
なお、切り込み１１ｂは防風弁１６部分に一定間隔で切り込みを形成し、強風時に通気孔１４の閉塞に影響の無いように通気口１４の存在しない部分に形成するものである。
【００２５】
Ａは断熱性を有する外壁材（以下、単に外壁材という）であり、その他機能として防水性、気密性、耐候性、等の機能を有する部材である。例えば、図８（ａ）〜（ｄ）に示すような金属製サイディング材等を使用するものである。特に、金属製サイディング材よりなる外壁材Ａは、金属製表面材Ａ１をロール成形した板材と、裏面材Ａ２間に合成樹脂発泡体（プラスチックフォーム）等の芯材Ａ３をサンドイッチした特に断熱性を有する外壁材Ａである。
【００２６】
さらに、図２（ａ）、（ｂ）を用いて本発明に係る壁構造の作用について説明する。つまり、図２（ａ）に示すように、空気が屋外Ｇから小屋裏Ｋへ流入する時は、小屋裏Ｋが負圧、軒天２３付近が正圧、土台部が正圧となり、外気は主として抵抗の少ない軒天２３部分から吸われ、抵抗の多い土台部Ｄ方向（通気層γ）からはあまり吸われないために通気層γの温度が変化せず、外壁材Ａの断熱性が発揮される。通常はこの状態である。
【００２７】
また、希に図２（ｂ）に示すように、空気が小屋裏Ｋから屋外Ｇへ流出する時は壁面に対して水平に風が吹くような場合であり、小屋裏Ｋが負圧小、軒天２３付近が最大負圧、地面近くの土台部が負圧小となり、空気は小屋裏Ｋから吸われ、土台部Ｄ方向（通気層γ）から吸われる量が抑制され、通気層γの温度が変化せず、外壁材Ａの断熱性が発揮されるものである。
【００２８】
このように、小屋裏Ｋへの空気の流入・流出が、通気路γへ影響せず、通気層γ内を流れる空気の量を自然対流程度に抑制出来るために、通気層γが断熱層として機能し、外壁材Ａの断熱性も発揮されるものである。なお、屋内Ｎから発生し通気層γへ流入した湿気は、通気層γの自然対流により、屋外Ｇへの空気の流出、屋内Ｎへの空気の流入に関係なく屋外Ｇへ常時排出されるものである。
【００２９】
次に、図１〜図８を用いて本発明に係る壁構造の施工方法について説明する。まず、内装材１、ポリエチレンシート等の防湿層２、主柱、間柱等の躯体３、躯体３間に形成したグラスウール等の断熱材４より形成した下地α上に、防風透湿層５（透湿防水シート）を形成する。
【００３０】
その後、厚さ１８ｍｍ×幅４５ｍｍ程度の通気層形成部材６を４５５ｍｍピッチで縦に複数本固定する。この時、通気層形成部材６は軒天２３形成部分よりも内側に突出するように形成すると共に、下端部分は土台部Ｄから、固定片１２の高さ分だけ隙間を形成して施工する。
【００３１】
通気層形成部材６の形成が完了したら、軒天２３を形成し、その後上開口７、下開口８が形成されるように、通気層形成部材６上に止縁１０、通気層形成部材６の下端空間の下地α上に強風浸入防止材１１（通気層形成部材６施工前に土台部Ｄ上の下地α上に施工しても良い）、通気層形成部材６上に水切り１７を固定する。
【００３２】
その後、通気層形成部材６上に図８（ａ）に示すような外壁材Ａを各種役物を使用して施工し、施工を完了するものである。
【００３３】
以上説明したのは本発明に係る壁構造の一実施例にすぎず、図９（ａ）〜（ｃ）〜図１２に示すように形成することも出来る。
【００３４】
図９（ａ）〜（ｃ）、図１０（ａ）〜（ｃ）は強風浸入防止材１１のその他の実施例を示す斜視図である。
【００３５】
図１１は、通気層形成部材６上に防水層２４（点線で示す）を形成し、通気層γ内に雨水等が浸入しないように形成したものである。例えば、アスファルトフェルト等の防水シートである。
【００３６】
図１２は図１の軒天２３部分に形成した上開口７を削除した壁構造であり、小屋裏Ｋと屋外Ｇ間の通気は主に軒天２３に形成した軒天通気口２５により行うように形成した壁構造である。
【産業上の利用可能性】
【００３７】
本発明に係る壁構造によれば、外壁材Ａの裏面に通気層（通気層γ）を形成した壁構造では、外壁材Ａとして断熱性の有る部材を形成しても外壁材Ａが断熱材として認められなかったが、通気層（通気層γ）内を空気が微量にしか移動しないように小屋裏通気開口・上開口・下開口の３カ所の開口を壁体に形成することにより、通気層（通気層γ）の本来の意義である内部結露防止の効果を生かし、さらに、断熱性のある外壁材Ａの断熱効果を生むことで、外壁材裏面および壁内の温度を高く保つことが可能となり、省エネルギーと壁内結露の防止効果を高めることが出来る構造となる。これは、今までの通気構造のように、外壁材の裏面と下地間の通気路を外気が移動することにより結露を防止する構造とは異なり、外気の移動を極力抑えた状態で湿気だけを外部に排出出来る構造であるために、断熱性を有する外壁材の性能を有効に活用出来るものである。
【符号の説明】
【００３８】
α  下地
β  固定具
γ  通気層
Ａ  断熱性を有する外壁材
Ａ１  金属製表面材
Ａ２  裏面材
Ａ３  芯材
Ｄ  土台部
Ｄ１  通気水切り
Ｇ  屋外
Ｋ  小屋裏
Ｎ  屋内
１  内装材
２  防湿層
３  躯体
４  断熱材
５  防風透湿層
６  通気層形成部材
７  上開口
８  下開口
９  小屋裏通気開口
１０  止縁
１１  強風浸入防止材
１１ａ  通気兼固定部材
１１ｂ  強風浸入防止弁
１２  固定片
１３  突出片
１４  通気孔
１５  固定面
１６  防風弁
１６ａ  支点
１６ｂ  切り込み
１７  水切り
１８  固定面
１９  水切り面
２０  化粧面
２１  下面
２２  内面
２３  軒天
２４  防水層
２５  軒天通気口
【図１】
2010255379.tif 000003
【図２】
2010255379.tif 000004
【図３】
2010255379.tif 000005
【図４】
2010255379.tif 000006
【図５】
2010255379.tif 000007
【図６】
2010255379.tif 000008
【図７】
2010255379.tif 000009
【図８】
2010255379.tif 000010
【図９】
2010255379.tif 000011
【図１０】
2010255379.tif 000012
【図１１】
2010255379.tif 000013
【図１２】
2010255379.tif 000014
【手続補正書】
【提出日】平成21年9月9日(2009.9.9)
【手続補正１】
【補正対象書類名】明細書
【補正対象項目名】００２７
【補正方法】変更
【補正の内容】
【００２７】
また、希に図２（ｂ）に示すように、空気が小屋裏Ｋから屋外Ｇへ流出する時は壁面に対して平行に風が吹くような場合、あるいはその壁面が風下になる場合であり、小屋裏Ｋよりも、軒天２３付近および地面近くの土台部Ｄの方が気圧が低くなり、空気は小屋裏Ｋから上開口７を経て屋外Ｇに流れ、水切り１７方向（排湿層γ）から吸われる量が抑制され、排湿層γの温度が変化せず、外壁材Ａの断熱性が発揮されるものである。
【手続補正２】
【補正対象書類名】図面
【補正対象項目名】図２
【補正方法】変更
【補正の内容】
【図２】
2010255379.tif 000015